【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
ストリーミングコンテンツを供給する方法において、
（ａ）コンテンツを含む情報ストリームを受信し、
（ｂ）前記コンテンツの第１部分を含む第１バーストを形成し、
（ｃ）前記コンテンツの第２部分を含む第２バーストを形成し、そして
（ｄ）前記第１バーストの送信と前記第２バーストの送信との間の第１相対的時間周期を前記第１バーストにエンコードする、
という段階を備えた方法。
【請求項２】
（ｅ）前記第１バーストを送信媒体へ送信し、
（ｆ）前記第２バーストを、前記第１相対的時間周期により決定された時間に前記送信媒体へ送信する、
という段階を備えた請求項１に記載の方法。
【請求項３】
前記第１バーストの帯域巾は、前記送信媒体のチャンネルの最大帯域巾に対応する請求項２に記載の方法。
【請求項４】
前記第１バーストの帯域巾は、前記送信媒体のチャンネルの最大帯域巾未満である請求項２に記載の方法。
【請求項５】
前記第１バーストの帯域巾は、前記送信媒体の最大帯域巾に対応する請求項２に記載の方法。
【請求項６】
（ｅ）前記第２バーストの送信と、前記コンテンツの一部分を含む第３バーストの送信との間の第２相対的時間周期を前記第２バーストにエンコードする、
という段階を更に備えた請求項１に記載の方法。
【請求項７】
（ｄ）前記第１バーストに前記第１バーストの時間巾をエンコードする、
という段階を更に備えた請求項１に記載の方法。
【請求項８】
前記（ｄ）でエンコードされた第１時間周期は、マルチプロトコルカプセル化フレームにおいてエンコードされる請求項１に記載の方法。
【請求項９】
前記（ｄ）でエンコードされた第１時間周期は、インターネットプロトコルパケットにおいてエンコードされる請求項１に記載の方法。
【請求項１０】
前記（ｄ）でエンコードされた第１時間周期は、デジタルビデオブロードキャスト変調データにおいてエンコードされる請求項１に記載の方法。
【請求項１１】
前記段階（ｄ）は、前記相対的な時間周期を搬送ストリームパケットのヘッダにエンコードすることを含む請求項１に記載の方法。
【請求項１２】
前記段階（ｄ）は、前記相対的な時間周期を搬送ストリームパケットの適応フィールドにエンコードすることを含む請求項１に記載の方法。
【請求項１３】
前記搬送ストリームパケットは、ＭＰＥＧII搬送ストリームパケットを含む請求項１２に記載の方法。
【請求項１４】
ターミナルに受信されたコンテンツデータのバーストを処理する方法において、
（ａ）コンテンツの第１バーストを、前記ターミナルにおいて受信し、
（ｂ）前記第１バーストから、コンテンツの第２バーストの送信までの第１相対的時間周期を抽出し、
（ｃ）前記段階（ａ）の後に、前記第１相対的時間周期より短い時間周期中、ターミナルの少なくとも一部分から電力を除去する、そして
（ｄ）前記第１バーストからのコンテンツを、前記ターミナルのユーザに提示する
という段階を備えた方法。
【請求項１５】
前記移動ターミナルの少なくとも一部分は、受信モジュールを含む請求項１４に記載の方法。
【請求項１６】
前記受信モジュールは、パケットフィルタを含む請求項１５に記載の方法。
【請求項１７】
（ｅ）前記段階（ｃ）の後に、前記ターミナルの少なくとも一部分に電力を供給すると共に、前記ターミナルにおいて、コンテンツの第２バーストを受信し、そして
（ｆ）前記段階（ｃ）の後に、前記第１相対的時間周期より短い時間周期中、前記ターミナルの少なくとも一部分から電力を除去する、
という段階を備えた請求項１４に記載の方法。
【請求項１８】
前記段階（ｄ）は、前記第１バースト及び前記第２バーストに含まれたコンテンツから連続的なコンテンツストリームを形成することを含む請求項１７に記載の方法。
【請求項１９】
（ｅ）前記段階（ｃ）の後に、前記ターミナルの少なくとも一部分に電力を供給すると共に、前記ターミナルにおいて、コンテンツの第２バーストを受信し、
（ｆ）前記第２バーストから、コンテンツの第３バーストの送信までの第２相対的時間周期を抽出し、そして
（ｇ）前記段階（ｅ）の後に、前記第２相対的時間周期より短い時間周期中、前記ターミナルの少なくとも一部分から電力を除去する、
という段階を備えた請求項１４に記載の方法。
【請求項２０】
（ｇ）前記第１バースト及び前記第２バーストに含まれたコンテンツからコンテンツストリームを形成する、
という段階を更に備えた請求項１９に記載の方法。
【請求項２１】
前記段階（ｂ）は、マルチプロトコルカプセル化フレームから前記第１相対的時間周期を抽出することを含む請求項１４に記載の方法。
【請求項２２】
前記段階（ｂ）は、インターネットプロトコルパケットから前記第１相対的時間周期を抽出することを含む請求項１４に記載の方法。
【請求項２３】
前記段階（ｂ）は、デジタルビデオブロードキャスト変調データから前記第１相対的時間周期を抽出することを含む請求項１４に記載の方法。
【請求項２４】
前記段階（ｂ）は、搬送ストリームパケットの適応フィールドから前記相対的時間周期を抽出することを含む請求項１４に記載の方法。
【請求項２５】
前記搬送ストリームパケットは、ＭＰＥＧII搬送ストリームパケットを含む請求項２４に記載の方法、
【請求項２６】
前記コンテンツは、オーディオコンテンツ、及びビデオコンテンツの少なくとも一方を含む請求項１４に記載の方法。
【請求項２７】
前記コンテンツは、ビデオコンテンツを含む請求項１４に記載の方法。
【請求項２８】
（ｅ）複数の更なるコンテンツのバーストについて、前記段階（ａ）及び（ｃ）を連続して繰り返す
という段階をさらに備え、前記段階（ｄ）は、前記第１バースト、及び前記複数の更なるバーストに含まれたコンテンツから連続的なコンテンツストリームを形成することを含む請求項２に記載の方法。
【請求項２９】
（ｅ）複数の更なるコンテンツのバースト、及び複数の更なる相対的時間周期について、前記段階（ａ）から（ｃ）までを連続して繰り返す
という段階をさらに備え、前記段階（ｄ）は、前記第１バースト、及び前記複数の更なるバーストに含まれたコンテンツから連続的なコンテンツストリームを形成することを含む
請求項２に記載の方法。
【請求項３０】
前記段階（ｄ）は、前記第１バースト、及び前記第２バーストに含まれたコンテンツから連続的なコンテンツストリームを形成することを含む請求項１９に記載の方法。
【請求項３１】
コンテンツの前記第１バーストは、帯域巾を有するオリジナルコンテンツの一部分であり、
コンテンツの前記第１バーストは、前記オリジナルコンテンツの前記帯域巾より大きい帯域巾を有する請求項１４に記載の方法。
【請求項３２】
その少なくとも幾つかが相対的時間周期を含むコンテンツのバーストを処理する移動ターミナルにおいて、
前記コンテンツのバーストを受信する受信モジュールと、
前記コンテンツのバーストから相対的時間周期を抽出するように構成された抽出モジュールと、
前記相対的時間周期に対応する電力オフ時間周期中、少なくとも前記受信モジュールから電力を除去する電力管理モジュールと、
受信されたバーストからの前記コンテンツを提示するための、ディスプレイ、及びスピーカの少なくとも一方と、
を備えた移動ターミナル。
【請求項３３】
前記受信モジュールは、帯域巾を有するオリジナルコンテンツの一部分であるコンテンツのバーストを受信し、
前記コンテンツのバーストは、前記オリジナルコンテンツの前記帯域巾より大きい帯域巾を有する請求項３２に記載の移動ターミナル。
【請求項３４】
前記移動ターミナルは、ビデオコンテンツのバーストを処理し、
前記受信モジュールは、ビデオコンテンツのバーストを受信し、
前記抽出モジュールは、前記ビデオコンテンツのバーストから前記相対的時間周期を抽出するように構成され、そして
前記ディスプレイ、及びスピーカの少なくとも一方は、ディスプレイを含む請求項３２に記載の移動ターミナル。
【請求項３５】
前記ビデオコンテンツのバーストを記憶するバッファを更に備えた請求項３４に記載の移動ターミナル。
【請求項３６】
前記ビデオコンテンツのバーストから連続的なコンテンツストリームを形成するプロセッサを更に備えた請求項３５に記載の移動ターミナル。
【請求項３７】
前記電力管理モジュールに結合された時間ソースであって、前記電力管理モジュールに相対的時間情報を供給する時間ソースを更に備えた請求項３２に記載の移動ターミナル。
【請求項３８】
前記コンテンツのバーストを記憶するバッファを更に備えた請求項３７に記載の移動ターミナル。
【請求項３９】
前記コンテンツのバーストから連続的なコンテンツストリームを形成するプロセッサを更に備えた請求項３８に記載の移動ターミナル。
【請求項４０】
前記抽出モジュールは、マルチプロトコルカプセル化フレームから前記相対的時間周期を抽出する請求項３２に記載の移動ターミナル。
【請求項４１】
前記抽出モジュールは、インターネットプロトコルパケットから前記相対的時間周期を抽出する請求項３２に記載の移動ターミナル。
【請求項４２】
前記抽出モジュールは、デジタルビデオブロードキャスト変調データから前記相対的時間周期を抽出する請求項３２に記載の移動ターミナル。
【請求項４３】
前記抽出モジュールは、搬送ストリームパケットの適応フィールドから前記相対的時間周期を抽出する請求項３２に記載の移動ターミナル。
【請求項４４】
前記搬送ストリームパケットは、ＭＰＥＧII搬送ストリームパケットを含む請求項４３に記載の移動ターミナル。
【請求項４５】
コンテンツのバーストの少なくとも幾つかが、バースト間の相対的時間を指示する相対的時間データを含むようなコンテンツのバーストを処理する移動ターミナルにおいて、
前記コンテンツのバーストを受信する手段と、
前記コンテンツのバーストから相対的時間周期を抽出する手段と、
前記相対的時間周期に対応する電力オフ時間周期中、少なくとも前記受信手段から電力を除去する手段と、
を備えた移動ターミナル。
【請求項４６】
コンテンツのバーストの少なくとも幾つかが相対的時間周期を含むようなコンテンツのバーストを処理する受信器において、
前記コンテンツのバーストを受信する受信モジュールと、
前記コンテンツのバーストから相対的時間周期を抽出するように構成された抽出モジュールと、
前記相対的時間周期に対応する電力オフ時間周期中、少なくとも前記受信モジュールから電力を除去する電力管理モジュールと、
を備えた受信器。
【請求項４７】
データ送信のバースト間の相対的時間周期の値を含むデータを送信する、ネットワークによってデータを伝達するための送信モジュールと、
前記データを所定の帯域巾、及びインターバルを有するバーストへとフォーマットし、該データを前記送信モジュールへ伝達するための要素と、
を備えた、データを移動ターミナルへ伝達するための、ヘッド端位置に置かれた送信器ユニット。
【請求項４８】
前記送信モジュールは、前記データについて時分割多重化を遂行する請求項４７に記載の送信器ユニット。
【請求項４９】
前記要素は、前記データを、最大帯域巾未満の、又は最大帯域巾に等しい所定の帯域巾を有するバーストへとフォーマットする請求項４７に記載の送信器ユニット。
【請求項５０】
前記データのバーストを記憶するバッファを更に備えた請求項４７に記載の送信器ユニット。
【請求項５１】
伝達された前記データは、従来の情報信号である請求項４７に記載の送信器ユニット。
【請求項５２】
ヘッド端位置においてコンテンツをフォーマットするためのカプセル化装置ユニットであって、
前記コンテンツを、データ送信のバースト間の相対的時間周期に等しい値でカプセル化することのできるカプセル化装置と、
前記カプセル化装置から前記コンテンツを受信し、データをバーストへとフォーマットするための、コンピュータ実行可能な命令でプログラムされたプロセッサと、
データ送信のバースト間の前記相対的時間周期に等しい前記値を計算し、該値を前記カプセル化装置に伝達するためのインターバルモジュールと、
を備えたカプセル化装置ユニット。
【請求項５３】
前記カプセル化装置は、マルチプロトコルカプセル化装置を使用する請求項５２に記載のカプセル化装置ユニット。
【請求項５４】
前記カプセル化装置は、インターネットプロトコルパケットにエンコードする請求項５２に記載のカプセル化装置ユニット。
【請求項５５】
移動ターミナルの少なくとも一部分に電力を供給するための、該移動ターミナルに置かれた電力ユニットであって、
前記移動ターミナルに置かれた少なくとも受信モジュールに電力を供給するための電源と、
前記電源から少なくとも前記受信モジュールへ電力を選択的に加えるための電力管理モジュールと、
ヘッド端位置から伝達された相対的タイミング情報を抽出し、該相対的タイミング情報を前記電力管理モジュールへ伝達するための抽出モジュールと、
を備えた電力ユニット。
【請求項５６】
前記電源は、バッテリである請求項５５に記載の電力ユニット。
【請求項５７】
ヘッド端位置から伝達された前記相対的タイミング情報から抽出された第１相対的時間周期より短い時間周期中、前記電源から少なくとも受信モジュールへの電力を除去する請求項５５に記載の電力ユニット。
【請求項５８】
前記電力管理モジュールは、前記相対的時間周期に対応する電力オフ時間周期中、少なくとも前記受信モジュールから電力を除去する請求項５５に記載の電力ユニット。
【請求項５９】
前記抽出モジュールは、デジタルビデオブロードキャスト変調データから前記相対的タイミング情報を抽出する請求項５５に記載の電力ユニット。
【請求項６０】
前記電力管理モジュールは、前記受信モジュールにおいてエラー状態が生じたとき、時間の１周期の間、一定のオン状態で動作するように構成された移動ターミナル、の一部分である請求項５５に記載の電力ユニット。
【請求項６１】
送信器モジュールから前記受信モジュールへ送信されている間に、データのバーストが失われることにより、前記エラー状態を引き起こす請求項６０に記載の電力ユニット。